(57)【要約】【課題】  収納ケースに収納して携帯される非接触型ＩＣカードに記録されているデータが漏洩することや改ざんされることを防止する。【解決手段】  電磁波遮蔽体１は、非接触型ＩＣカードの表面、裏面のいずれか一方に重ね合わせて非接触型ＩＣカードに内蔵されるアンテナ部を覆うとともに、アンテナ部において送受信される電磁波を遮蔽する、１枚のカード２により構成されている。【選択図】    図１
2006313482.tif 000002
【特許請求の範囲】
【請求項１】
非接触型ＩＣカードの表面、裏面のいずれか一方に重ね合わせて前記非接触型ＩＣカードに内蔵されるアンテナ部を覆うとともに、前記アンテナ部において送受信される電磁波を遮蔽する、１枚のカードにより構成されたことを特徴とする電磁波遮蔽体。
【請求項２】
非接触型ＩＣカードの一辺に対応する部分において折り畳まれ、前記非接触型ＩＣカードの表面及び裏面に重ね合わせて前記非接触型ＩＣカードに内蔵されるアンテナ部を覆うとともに、前記アンテナ部において送受信される電磁波を遮蔽する、１枚の折り畳まれたカードにより構成されたことを特徴とする電磁波遮蔽体。
【請求項３】
非接触型ＩＣカードの表面に重ね合わせて前記非接触型ＩＣカードに内蔵されるアンテナ部を覆うとともに、前記アンテナ部において送受信される電磁波を遮蔽する、１枚の第１のカードと、
前記非接触型ＩＣカードの裏面に重ね合わせて前記非接触型ＩＣカードに内蔵されるアンテナ部を覆うとともに、前記アンテナ部において送受信される電磁波を遮蔽する、１枚の第２のカードと、
前記第１のカードの一辺と前記第２のカードの一辺とを連結する連結部と、
を備えたことを特徴とする電磁波遮蔽体。
【請求項４】
前記カード、前記第１のカード又は前記第２のカードは、カード基材と、前記カード基材の表面にコーティングされた金属膜とを備えていることを特徴とする請求項１ないし３のいずれか一記載の電磁波遮蔽体。
【請求項５】
前記カード、前記第１のカード又は前記第２のカードは、カード基材と、前記カード基材の表面に貼り付けられた金属シールとを備えていることを特徴とする請求項１ないし３のいずれか一記載の電磁波遮蔽体。
【請求項６】
前記カード、前記第１のカード又は前記第２のカードの表面が鏡面仕上げされていることを特徴とする請求項１ないし５のいずれか一記載の電磁波遮蔽体。
【請求項７】
前記カード、前記第１のカード又は前記第２のカードは、１つ以上の貫通孔を備えたことを特徴とする請求項１ないし６のいずれか一記載の電磁波遮蔽体。
【請求項８】
前記カード、前記第１のカード又は前記第２のカードにおいて、辺と辺との間の角部が面取りされていることを特徴とする請求項１ないし７のいずれか一記載の電磁波遮蔽体。
【請求項９】
前記カード、前記第１のカード又は前記第２のカードにおいて、辺と辺との間の角部が湾曲形状とされていることを特徴とする請求項１ないし７のいずれか一記載の電磁波遮蔽体。
【請求項１０】
非接触型ＩＣカードが収納される収納ケース内に、前記非接触型ＩＣカードの表裏両側に請求項１ないし９のいずれか一記載の電磁波遮蔽体を位置付けて収納し、前記非接触型ＩＣカードのアンテナ部において送受信される電磁波を前記電磁波遮蔽体により遮蔽することを特徴とする電磁波遮蔽方法。
【発明の詳細な説明】
【技術分野】
【０００１】
本発明は、電磁波遮蔽体及び電磁波遮蔽方法に関し、特に、非接触型ＩＣカードに使用される電磁波遮蔽体及び電磁波遮蔽方法に関する。
【背景技術】
【０００２】
非接触でデータの読み取りが可能な非接触型ＩＣカードは、キャッシュカードやクレジットカード、各種交通機関の乗車券や定期券等、様々な用途に使用されている。近年では、建物の入退室管理システム、エレベータの呼び登録システム等、セキュリティを重視するビル管理システムにおいて非接触型ＩＣカードの需要が高まりつつある。
【０００３】
非接触型ＩＣカードは、各種データの処理や記録を行うＩＣチップ及びデータの送受信を行うアンテナを、合成樹脂製のカード内に封止したものである。
【０００４】
リーダライタ装置から発信された電波が非接触型ＩＣカードのアンテナにおいて受信されることによりアンテナの周囲に磁界が発生し、この磁界の発生により電力が発生する。非接触型ＩＣカードにおいては、発生した電力によりＩＣチップの回路動作が行われる。
【０００５】
非接触型ＩＣカードは、リーダライタ装置との接触を伴わずにデータの送受信を実現することができる反面、記録されているデータが漏洩することや改ざんされることを防止して十分なセキュリティを確保することが要求されている。
【０００６】
下記特許文献１には、非接触型ＩＣカード内に記録されているデータが漏洩することや改ざんされることを防止することができるようにした発明が記載されている。この特許文献１に記載された発明は、非接触型ＩＣカードを収納する収納ケースに電磁波を遮蔽する電磁波シールド手段を備えている。
【特許文献１】特開２００４−１８８２１５号公報
【発明の開示】
【発明が解決しようとする課題】
【０００７】
しかしながら、前述の発明では、以下の点について配慮がなされていない。
【０００８】
非接触型ＩＣカード内に記録されているデータが漏洩することや改ざんされることを防止するためには、電磁波シールド手段を備えた専用の収納ケースを準備しなければならず、既存の収納ケースを使用することができない。このため、専用の収納ケースを準備することによってコスト高になる。また、自分の好みに合った既存の財布や定期券入れを、非接触型ＩＣカード収納する収納ケースとして使用することができない。
【０００９】
本発明は上記課題を解決するためになされたものであり、その目的は、非接触型ＩＣカードに記録されているデータが漏洩することや改ざんされることを防止することができ、しかも、既存の収納ケースに引き続き非接触型ＩＣカードを収納することができる電磁波遮蔽体及び電磁波遮蔽方法を提供することである。
【課題を解決するための手段】
【００１０】
本発明の実施の形態に係る第１の特徴は、電磁波遮蔽体において、非接触型ＩＣカードの表面、裏面のいずれか一方に重ね合わせて前記非接触型ＩＣカードに内蔵されるアンテナ部を覆うとともに、前記アンテナ部において送受信される電磁波を遮蔽する、１枚のカードにより構成されている。
【００１１】
本発明の実施の形態に係る第２の特徴は、電磁波遮蔽体において、非接触型ＩＣカードの一辺に対応する部分において折り畳まれ、前記非接触型ＩＣカードの表面及び裏面に重ね合わせて前記非接触型ＩＣカードに内蔵されるアンテナ部を覆うとともに、前記アンテナ部において送受信される電磁波を遮蔽する、１枚の折り畳まれたカードにより構成されている。
【００１２】
本発明の実施の形態に係る第３の特徴は、電磁波遮蔽体において、非接触型ＩＣカードの表面に重ね合わせて前記非接触型ＩＣカードに内蔵されるアンテナ部を覆うとともに、前記アンテナ部において送受信される電磁波を遮蔽する、１枚の第１のカードと、前記非接触型ＩＣカードの裏面に重ね合わせて前記非接触型ＩＣカードに内蔵されるアンテナ部を覆うとともに、前記アンテナ部において送受信される電磁波を遮蔽する、１枚の第２のカードと、前記第１のカードの一辺と前記第２のカードの一辺とを連結する連結部と、を備えている。
【００１３】
本発明の実施の形態に係る第４の特徴は、電磁波遮蔽方法において、非接触型ＩＣカードが収納される収納ケース内に、前記非接触型ＩＣカードの表裏両側に請求項１ないし９のいずれか一記載の電磁波遮蔽体を位置付けて収納し、前記非接触型ＩＣカードのアンテナ部において送受信される電磁波を前記電磁波遮蔽体により遮蔽する。
【発明の効果】
【００１４】
本発明によれば、非接触型ＩＣカードに記録されているデータが漏洩することや改ざんされることを防止することができ、しかも、非接触型ＩＣカードを収納する既存の収納ケースを引き続き使用することができる。
【発明を実施するための最良の形態】
【００１５】
以下、本発明の実施の形態を図面を用いて説明する。
【００１６】
（第１の実施の形態）
本発明の第１の実施の形態に係る電磁波遮蔽体１は、金属板を長方形状に切断した１枚のカード２により構成されている。金属板で形成されたカード２は導電性を有するので、このカード２を非接触型ＩＣカード３の表面と裏面とに重ね合わせて非接触型ＩＣカード３のアンテナ部を覆うことにより、非接触型ＩＣカード３のアンテナ部において送受信される電磁波を遮蔽することができる。電磁波遮蔽体１の外形寸法は、この電磁波遮蔽体１を用いて電磁波を遮蔽しようとする非接触型ＩＣカード３の外形寸法より僅かに小さく形成されている。カード２における辺と辺との間の角部は、円弧形状に面取りが施された（Ｒ面取りされた）湾曲形状とされている。
【００１７】
電磁波遮蔽体１は２枚１組として使用される。図２は、電磁波遮蔽体１の使用形態の一例であり、１つのポケットを有する収納ケース４内に、２枚の電磁波遮蔽体１と１枚の非接触型ＩＣカード３とが収納されている。２枚の電磁波遮蔽体１は非接触型ＩＣカード３の表裏両側に１枚ずつ位置付けられ、１枚の非接触型ＩＣカード３とこの非接触型ＩＣカード３を挟んだ２枚の電磁波遮蔽体１とが、収納ケース４内の同じポケット内に収納されている。
【００１８】
図３は、電磁波遮蔽体１の使用形態の他の一例であり、複数のポケットを有し、かつ、折り畳み式の収納ケース５内に、２枚の非接触型ＩＣカード３と２枚の電磁波遮蔽体１とが収納されている。２枚の電磁波遮蔽体１は、折り畳み式の収納ケース５を折り畳んだときに、２枚の非接触型ＩＣカード３の外側に位置するように配置されている。１枚ごとの非接触型ＩＣカード３に着目すると、各非接触型ＩＣカード３の表裏両側に電磁波遮蔽体１が１枚ずつ位置付けられている。
【００１９】
ここで、電磁波遮蔽体１の外形寸法と非接触型ＩＣカード３の外形寸法との関係は、必ずしも電磁波遮蔽体１の外形寸法を非接触型ＩＣカード３の外形寸法より僅かに小さくする必要はない。例えば、電磁波遮蔽体１の外形寸法を非接触型ＩＣカード３の外形寸法より大幅に小さくしてもよく、電磁波遮蔽体１の外形寸法を非接触型ＩＣカード３の外形寸と略同じにしてもよく、又は、電磁波遮蔽体１の外形寸法を非接触型ＩＣカード３の外形寸法より僅かに大きくてもよい。必要なことは、同じ収納ケース４又は５内に非接触型ＩＣカード３と共に収納可能な外形寸法を電磁波遮蔽体１が有し、かつ、収納ケース４又は５への収納状態において電磁波遮蔽体１が非接触型ＩＣカード３のアンテナ部を覆うことができれる外形寸法を有することである。なお、１つのポケットを有する収納ケース４内への非接触型ＩＣカード３の出し入れ性を考慮した場合には、電磁波遮蔽体１の外形寸法が、非接触型ＩＣカード３の出し入れ方向において非接触型ＩＣカード３の外形寸法より小さいことが望ましい。
【００２０】
また、電磁波遮蔽体１の角部の形状を、湾曲形状とすることに代えて斜めに切り落とす（Ｃ面取りされる）面取形状としてもよい。電磁波遮蔽体１の角部の形状を、湾曲形状又は面取形状とすることにより、電磁波遮蔽体１の角部が鋭利に突出することがなく、収納ケース４又は５内へ非接触型ＩＣカード３を出し入れするときに電磁波遮蔽体１の鋭利な角部で指を怪我するということが発生しない。
【００２１】
このような構成において、図２に示すように１つのポケットを有する収納ケース４内に非接触型ＩＣカード３を収納する場合には、非接触型ＩＣカード３の表裏両側に電磁波遮蔽体１を１枚ずつ位置付けし、これらの非接触型ＩＣカード３と電磁波遮蔽体１とを収納ケース４のポケット内に収納する。
【００２２】
また、図３に示すように、複数のポケットを有する折り畳み式の収納ケース５内に非接触型ＩＣカード３を収納する場合には、収納ケース５を折り畳んだときに非接触型ＩＣカード３の表裏両側に電磁波遮蔽体１が１枚ずつ位置するように電磁波遮蔽体１を位置付ける。
【００２３】
２枚の電磁波遮蔽体１を非接触型ＩＣカード３の表裏両側に位置付けして収納ケース４又は５内に収納することにより、収納ケース４又は５に収納されている非接触型ＩＣカード３に向けて電磁波が照射された場合でも、その電磁波は電磁波遮蔽性を有する電磁波遮蔽体１によって遮蔽される。これにより、非接触型ＩＣカード３を収納ケース４又は５に収納して携帯しているときに、非接触型ＩＣカード３に記録されているデータが漏洩することや改ざんされることを防止することができる。
【００２４】
しかも、非接触型ＩＣカード３を収納する収納ケース４又は５は、既存のものを引き続き使用することができ、自分の好みに合った市販の収納ケース４又は５を使用することができる。
【００２５】
また、図３に示す使用形態によれば、収納ケース５内に収納した非接触型ＩＣカード３に対して読み書きを行う場合、折り畳み式の収納ケース５を開いて収納されている非接触型ＩＣカード３をリーダライタ装置に対向させればよく、収納ケース５のポケットから非接触型ＩＣカード３を取り出すことが不要となる。
【００２６】
なお、第１の実施の形態においては、金属板のカード２により構成された電磁波遮蔽体１を例に挙げて説明したが、カード２は、導電性を有し、非接触型ＩＣカード３のアンテナ部において送受信される電磁波を遮蔽することができればよく、必ずしも金属板で形成する必要はない。例えば、図４に示すように、樹脂などによりカード基材６を形成し、そのカード基材６の表面に金属コーティングにより金属膜６ａを形成してもよく、又は、そのカード基材６の表面に金属シール（図示せず）を貼り付けてもよい。樹脂などのカード基材６に金属膜６ａを形成し、又は、金属シールを貼り付けたカード２は、そのカード２が導電性を有するので、非接触型ＩＣカード３のアンテナ部において送受信される電磁波を遮蔽することができる。
【００２７】
また、カード２の表面を鏡面仕上げしてもよい。鏡面仕上げすることにより、電磁波遮蔽体１を携帯用の鏡として用いることができる。カード２の鏡面仕上げは、アルミニウム蒸着や、研磨処理により行うことができる。
【００２８】
また、カード２に対し、1つ以上の貫通孔を形成してもよい。例えば、図５に示すように金属製のカード２をメッシュ構造とし、又は、図６に示すように金属製のカード2をパンチングメタルのような穴開き構造としてもよい。このような貫通孔を有する構造とすることにより、軽量化、使用する材料の低減化を図ることができる。穴開き構造とした電磁波遮蔽体１においては、この電磁波遮蔽体１を非接触型ＩＣカード３に重ね合わせた場合に、非接触型ＩＣカード３のアンテナ部において送受信される電磁波を完全に遮蔽することはできないが、送受信される電磁波を不安定にすることができ、非接触型ＩＣカード３に記録されているデータが漏洩することや改ざんされることを防止することができる。
【００２９】
（第２の実施の形態）
本発明の第２の実施の形態の電磁波遮蔽体７を図７に基づいて説明する。第２の実施の形態の電磁波遮蔽体７は、１枚の金属板で形成されたカード８が２つ折りに折り畳まれて形成されている。このカード８は、２つ折りに折り畳まれたときに非接触型ＩＣカード３を挟んで非接触型ＩＣカード３の表面及び裏面に重ね合わされる２つの挟持面部８ａ、８ｂと、２つの挟持面部８ａ、８ｂの１辺同士を繋ぐ繋ぎ部８ｃとから形成されている。繋ぎ部８ｃは、挟持される非接触型ＩＣカード３の一辺に対応している。金属板で形成されたカード８を折り畳んで形成された電磁波遮蔽体７は導電性を有するので、この電磁波遮蔽体７により挟まれて位置する非接触型ＩＣカード３のアンテナ部において送受信される電磁波を遮蔽することができる。
【００３０】
繋ぎ部８ｃは断面形状が円弧状に形成され、バネ性を有している。電磁波遮蔽体７を、繋ぎ部８ｃを中心として挟持面部８ａ、８ｂを接近させる向きに回動させることにより、挟持面部８ａ、８ｂが非接触型ＩＣカード３を表裏両面から挟む挟持位置に折り畳まれる。
【００３１】
電磁波遮蔽体７は、非接触型ＩＣカード３を表裏両面から挟む挟持位置に折り畳まれた状態において、挟んだ非接触型ＩＣカード３と共に非接触型ＩＣカード３が収納される収納ケース（図示せず）内に収納されるサイズに形成されている。
【００３２】
このような構成において、非接触型ＩＣカード３を収納ケース内に収納する場合には、非接触型ＩＣカード３を電磁波遮蔽体７の挟持面部８ａ、８ｂの間に配置し、電磁波遮蔽体７を矢印方向に付勢して挟み位置に折り畳む。そして、非接触型ＩＣカード３と共に電磁波遮蔽体７を収納ケース内に収納する。
【００３３】
このため、収納ケース内に収納されている非接触型ＩＣカード３に向けて電磁波が照射された場合でも、その電磁波は電磁波遮蔽性を有する電磁波遮蔽体７によって遮蔽される。これにより、非接触型ＩＣカード３を収納ケース内に収納して携帯しているときに、非接触型ＩＣカード３に記録されているデータが漏洩することや改ざんされることを防止することができる。
【００３４】
しかも、非接触型ＩＣカード３を収納する収納ケースは、既存のものを引き続き使用することができ、自分の好みに合った市販の収納ケースを使用することができる。
【００３５】
なお、この第２の実施の形態においても、第１の実施の形態において説明したように、金属板を用いずに、樹脂などの板をカード基材とし、そのカード基材の表面に金属コーティングにより金属膜を形成し、又は、そのカード基材の表面に金属シールを貼り付けることによりカード８を形成してもよい。
【００３６】
また、カード８の表面を鏡面仕上げしたり、カード８に1つ以上の貫通孔を形成してもよい。
【００３７】
さらに、カード８の角部を湾曲形状としたり、面取形状としてもよい。
【００３８】
（第３の実施の形態）
本発明の第３の実施の形態を図８に基づいて説明する。第３の実施の形態の電磁波遮蔽体９は、金属板により形成された１枚の第１のカード１０ａと、金属板により形成された１枚の第２のカード１０ｂと、第１のカード１０ａの一辺と第２のカード１０ｂの一辺とを連結する連結部１０ｃとにより形成されている。
【００３９】
この電磁波遮蔽体９は、第１のカード１０ａと第２のカード１０ｂとの間に非接触型ＩＣカード３が抜き差し自在に差し込まれている。金属板で形成された２枚のカード１０ａ、１０ｂを連結部１０ｃで連結することにより形成された電磁波遮蔽体９は導電性を有するので、２枚のカード１０ａ、１０ｂの間に差し込まれて位置する非接触型ＩＣカード３のアンテナ部において送受信される電磁波を遮蔽することができる。
【００４０】
電磁波遮蔽体９は、２枚のカード１０ａ、１０ｂの間に非接触型ＩＣカード３が差し込まれた状態において、差し込まれた非接触型ＩＣカード３と共に非接触型ＩＣカード３が収納される収納ケース（図示せず）内に収納されるサイズに形成されている。
【００４１】
このような構成において、非接触型ＩＣカード３を収納ケース内に収納する場合には、非接触型ＩＣカード３を電磁波遮蔽体９の２枚のカード１０ａ、１０ｂの間に差し込み、非接触型ＩＣカード３と共に電磁波遮蔽体９を収納ケース内に収納する。
【００４２】
このため、収納ケース内に収納されている非接触型ＩＣカード３に向けて電磁波が照射された場合でも、その電磁波は電磁波遮蔽性を有する電磁波遮蔽体９によって遮蔽される。これにより、非接触型ＩＣカード３を収納ケース内に収納して携帯しているときに、非接触型ＩＣカード３に記録されているデータが漏洩することや改ざんされることを防止することができる。
【００４３】
しかも、非接触型ＩＣカード３を収納する収納ケースは、既存のものを引き続き使用することができ、自分の好みに合った市販の収納ケースを使用することができる。
【００４４】
なお、この第３の実施の形態においても、第１の実施の形態において説明したように、金属板を用いずに、樹脂などの板をカード基材とし、そのカード基材の表面に金属コーティングにより金属膜を形成したカードや、そのカード基材の表面に金属シールを貼り付けたカードを用いて電磁波遮蔽体９を形成してもよい。
【００４５】
また、カード１０ａ、１０ｂの表面を鏡面仕上げしたり、カード１０ａ、１０ｂに1つ以上の貫通孔を形成してもよい。
【００４６】
さらに、カード１０ａ、１０ｂの角部を、湾曲形状としたり、面取形状としてもよい。
【図面の簡単な説明】
【００４７】
【図１】本発明の第１の実施の形態に係る電磁波遮蔽体を示し、（ａ）は正面図、（ｂ）は側面図である。
【図２】図１に示す電磁波遮蔽体の使用形態の一例を示し、（ａ）は正面図、（ｂ）は縦断側面図である。
【図３】図１に示す電磁波遮蔽体の使用形態の他の一例を示す斜視図である。
【図４】第１の実施の形態に係る電磁波遮蔽体の変形例を示す縦断側面図である。
【図５】第１の実施の形態に係る電磁波遮蔽体の他の変形例を示す斜視図である。
【図６】第１の実施の形態に係る電磁波遮蔽体の他の変形例を示す斜視図である。
【図７】本発明の第２の実施の形態に係る電磁波遮蔽体を示す側面図である。
【図８】本発明の第３の実施の形態に係る電磁波遮蔽体を示す側面図である。
【符号の説明】
【００４８】
１      電磁波遮蔽体
２      カード
３      非接触型ＩＣカード
４      収納ケース
５      収納ケース
６      カード基材
６ａ    金属膜
７      電磁波遮蔽体
８      カード
９      電磁波遮蔽体
１０ａ    第１のカード
１０ｂ    第２のカード
１０ｃ    連結部
【図１】
2006313482.tif 000003
【図２】
2006313482.tif 000004
【図３】
2006313482.tif 000005
【図４】
2006313482.tif 000006
【図５】
2006313482.tif 000007
【図６】
2006313482.tif 000008
【図７】
2006313482.tif 000009
【図８】
2006313482.tif 000010